(57)【要約】【課題】簡単な操作によって床パネルの持ち上げ作業を実現する。【解決手段】複数の床パネル１、１ａ等は、各々の底面の一部が、支柱２のパネル支え部Ｔ２等に接した状態で設置される。外部から操作が与えられると棒部２２が上昇し、その先端部２２Ｓがパネル支え部Ｔ２から突出して床パネル１ａに接して、押し上げる。この構成により、吸盤を用いることなく、簡単な操作によって床パネルの持ち上げ作業を実現できる。【選択図】図１
2015145561.tif 000002
【特許請求の範囲】
【請求項１】
複数の床パネル各々の底面の一部が接するパネル支え部と、
外部から与えられた操作によって上昇し、先端部が前記パネル支え部から突出して前記複数の床パネルの少なくとも１つに接し、前記先端部が接した床パネルを押し上げる棒部と、
を含む、支柱。
【請求項２】
前記棒部を上昇させるためのバネ部と、
前記バネ部による前記棒部の上昇を抑止する抑止部と、
前記操作によって前記抑止部による抑止を解除する解除部と、
をさらに備えた、請求項１に記載の支柱。
【請求項３】
前記抑止部は、前記棒部に設けられた爪部に係合する係合棒を含み、
前記解除部は、一端に前記係合棒が接続され、他端に前記操作が与えられるリンク部を含み、
前記リンク部に与えられる操作は、前記床パネルの上面側から前記底面側へ向かう操作である、請求項２に記載の支柱。
【請求項４】
前記抑止部は、前記棒部に設けられた爪部に係合する係合棒を含み、
前記解除部は、一端に前記係合棒が接続され、他端に前記操作が与えられるリンク部を含み、
前記リンク部に与えられる操作は、前記底面側から前記床パネルの上面側へ向かう操作である、請求項２に記載の支柱。
【請求項５】
前記操作を伝達する伝達棒と、
支点を挟んで、前記伝達棒の端部と前記棒部の下端部とに接するてこ部と、
をさらに備え、前記てこ部の作用によって前記棒部を上昇させる、請求項１に記載の支柱。
【請求項６】
請求項１から請求項５のいずれか一項に記載の支柱と、
前記支柱に支持される複数の床パネルと、を含み、
前記複数の床パネルは、
前記棒部に前記操作を与えるための孔部を有する第１の床パネルと、
上昇した前記棒部の先端部が接して押し上げられる第２の床パネルと、
を含む、フリーアクセスフロア。
【請求項７】
前記第１の床パネル及び前記第２の床パネルは、
上面の面積よりも前記底面の面積が小さく、かつ、側面は、前記上面から前記底面に向かって傾斜する傾斜部を有する、請求項６に記載のフリーアクセスフロア。
【請求項８】
前記支柱は、前記第１の床パネルと複数の前記第２の床パネルとを支持し、
前記先端部が、複数の前記第２の床パネルのうち少なくとも２つに接するようになっており、
前記棒部の上昇により、前記先端部が接した少なくとも２つの前記床パネルを押し上げる、請求項６又は請求項７に記載のフリーアクセスフロア。
【請求項９】
前記孔部を覆う被覆部をさらに備え、
前記被覆部の上面の色と前記第１の床パネルの上面の色とが異なる、
請求項６から請求項８のいずれか一項に記載のフリーアクセスフロア。
【発明の詳細な説明】
【技術分野】
【０００１】
本発明は、支柱及びフリーアクセスフロアに関する。
【背景技術】
【０００２】
フリーアクセスフロアは、支柱を複数設置しておき、それら支柱の上面に、床パネルを設置した構成になっている。
【０００３】
特許文献１には、ばね、回転軸及び着脱機構本体を備えた着脱機構を有するフリーアクセスフロア用パネル床が記載されている。特許文献１では、着脱機構専用のハンドルを用いてフリーアクセスフロア用パネル床を鉛直上方へ持ち上げて取りはずすようになっている。
【０００４】
また、特許文献２には、切り欠きと、切り欠きの内周に設けられた鍔部と、嵌合切欠と、挿通用切欠と、を有する床パネルと、天板と、側板と、仕切板と、突縁と、を有し、切り欠きに設置される通線用蓋体と、を備える床パネルへの通線用蓋体の取り付け構造が記載されている。
【先行技術文献】
【特許文献】
【０００５】
【特許文献１】実開昭６３−１６９６４３号公報
【特許文献２】特開平６−１１３４３３号公報
【発明の概要】
【発明が解決しようとする課題】
【０００６】
ところで、フリーアクセスフロアにおいて、設置した床パネルを持ち上げる場合、その作業に吸盤が用いられることがある。その作業を行う作業者は、床パネルの上面に吸盤を取り付け、吸盤を取っ手として用い、取り付けた吸盤ごと床パネルを持ち上げる。このように吸盤を用いた作業を行う場合、吸引力が大きな吸盤を用意する必要がある。また、作業現場に、吸盤を持ってくるのを忘れると床パネルを持ち上げる作業が困難になる可能性がある。
【０００７】
本発明は、吸盤等の特別な工具を用いなくても、簡単な操作によって床パネルの持ち上げ作業を実現できる支柱及びフリーアクセスフロアを提供することを目的とする。
【課題を解決するための手段】
【０００８】
上述した課題を解決し、目的を達成するために、本発明に係る支柱は、複数の床パネル各々の底面の一部が接するパネル支え部と、外部から与えられた操作によって上昇し、先端部が前記パネル支え部から突出して前記複数の床パネルの少なくとも１つに接し、前記先端部が接した床パネルを押し上げる棒部と、を含む。このようにすることで、吸盤を用いることなく、簡単な操作によって床パネルの持ち上げ作業を実現できる。
【０００９】
本発明の望ましい態様として、前記棒部を上昇させるためのバネ部と、前記バネ部による前記棒部の上昇を抑止する抑止部と、前記操作によって前記抑止部による抑止を解除する解除部と、をさらに備えることが好ましい。このようにすることで、バネの復元力によって棒部を上昇させることができ、作業効率を高めることができる。
【００１０】
本発明の望ましい態様として、前記抑止部は、前記棒部に設けられた爪部に係合する係合棒を含み、前記解除部は、一端に前記係合棒が接続され、他端に前記操作が与えられるリンク部を含み、前記リンク部に与えられる操作は、前記床パネルの上面側から前記底面側へ向かう操作であることが好ましい。このようにすることで、床パネルの上面側から底面側へ押し下げる簡単な操作で棒部を上昇させることができ、作業効率を高めることができる。
【００１１】
本発明の望ましい態様として、前記抑止部は、前記棒部に設けられた爪部に係合する係合棒を含み、前記解除部は、一端に前記係合棒が接続され、他端に前記操作が与えられるリンク部を含み、前記リンク部に与えられる操作は、前記底面側から前記床パネルの上面側へ向かう操作であることが好ましい。このようにすることで、床パネルの底面側から上面側へ引き上げる簡単な操作によって床パネルを持ち上げることができるので、操作のための工具が不要である。
【００１２】
本発明の望ましい態様として、前記操作を伝達する伝達棒と、支点を挟んで、前記伝達棒の端部と前記棒部の下端部に接するてこ部と、をさらに備え、前記てこ部の作用によって前記棒部を上昇させることが好ましい。このようにすることで、少ない部品点数で、床パネルの持ち上げ作業を実現できる。
【００１３】
本発明に係るフリーアクセスフロアは、上記のいずれかの支柱と、前記支柱に支持される複数の床パネルと、を含み、前記複数の床パネルは、前記棒部に前記操作を与えるための孔部を有する第１の床パネルと、上昇した前記棒部の先端部が接して押し上げられる第２の床パネルと、を含む。このようにすることで、簡単な操作によって床パネルの持ち上げ作業を実現できる。
【００１４】
本発明の望ましい態様として、前記第１の床パネル及び前記第２の床パネルは、上面の面積よりも前記底面の面積が小さく、かつ、側面は、前記上面から前記底面に向かって傾斜する傾斜部を有することが好ましい。このようにすることで、作業者の手を傾斜部にかけることができ、作業効率を高めることができる。また、この傾斜部により、隣接する他の床パネルに接触することなく、床パネルを持ち上げることができ、作業効率を高めることができる。
【００１５】
本発明の望ましい態様として、前記支柱は、前記第１の床パネルと複数の前記第２の床パネルとを支持し、前記先端部が、複数の前記第２の床パネルのうちの少なくとも２つに接するようになっており、前記棒部の上昇により、前記先端部が接した少なくとも２つの前記床パネルを押し上げることが好ましい。このようにすることで、１回の操作によって、複数の床パネルを同時に押し上げることができ、作業効率を高めることができる。
【００１６】
本発明の望ましい態様として、前記孔部を覆う被覆部をさらに備え、前記被覆部の上面の色と前記第１の床パネルの上面の色とが異なることが好ましい。このようにすることで、支柱を見つけ出すための目印とし、作業効率を高めることができる。また、孔部に塵埃が入り込むことを防止でき、操作棒の操作性を良好に保つことができる。
【発明の効果】
【００１７】
本発明によれば、簡単な操作によって床パネルの持ち上げ作業を実現できる。
【図面の簡単な説明】
【００１８】
【図１】図１は、実施形態１に係るフリーアクセスフロアの構成を示す図である。
【図２】図２は、図１中の床パネルの外観構成を示す斜視図である。
【図３】図３は、図２中の床パネルの側面図である。
【図４】図４は、図１中の床パネルの外観構成を示す斜視図である。
【図５】図５は、図４中の床パネルの側面図である。
【図６】図６は、複数の床パネルを設置した場合を示す平面図である。
【図７】図７は、図１中の支柱の外観構成を示す斜視図である。
【図８】図８は、図１中の支柱の外観構成を示す斜視図である。
【図９】図９は、爪部と係合棒との係合状態が解除された状態を示す図である。
【図１０】図１０は、実施形態２に係るフリーアクセスフロアの構成を示す図である。
【図１１】図１１は、図１０中の支柱の外観構成を示す斜視図である。
【図１２】図１２は、実施形態２において、棒部が上昇した状態を示す図である。
【図１３】図１３は、実施形態３に係るフリーアクセスフロアに用いる棒部及び操作棒の概略構成を示す図である。
【図１４】図１４は、実施形態３において、操作棒を引き上げた状態を示す図である。
【図１５】図１５は、１枚の床パネルを押し上げる場合の棒部の先端部の形状の例を示す図である。
【図１６】図１６は、図１５に対応する平面図である。
【図１７】図１７は、２枚の床パネルを押し上げる場合の棒部の先端部の形状を示す図である。
【図１８】図１８は、図１７に対応する平面図である。
【図１９】図１９は、３枚の床パネルを押し上げる場合の棒部の先端部の形状を示す図である。
【図２０】図２０は、図１９に対応する平面図である。
【発明を実施するための形態】
【００１９】
本発明を実施するための形態（実施形態）につき、図面を参照しつつ詳細に説明する。本実施形態において、下は鉛直方向側であり、上は鉛直方向とは反対側である。
【００２０】
（実施形態１）
図１は、実施形態１に係るフリーアクセスフロアの構成を示す図である。図１は、フリーアクセスフロアに用いられる支柱の断面構造を示す。図１に示すように、フリーアクセスフロア１００は、支柱２、２ａ及び２ｄと、床パネル１及び１ａとを備える。
【００２１】
支柱２、２ａ及び２ｄは、設置面Ｆから上面までの高さが等しく、設置面Ｆの上に等間隔で設置されている。図１には示していない他の支柱も、設置面Ｆから上面までの高さが等しく、設置面Ｆの上に等間隔で設置されている。
【００２２】
床パネル１は、支柱２のパネル支え部Ｔ２と支柱２ｄのパネル支え部Ｔ２ｄとの上に設けられている。図１に示す状態では、第１の床パネルとしての床パネル１の底面１１の一部が支柱２の上面Ｕ２と支柱２ｄの上面Ｕ２ｄとに接している。第２の床パネルとしての床パネル１ａは、支柱２のパネル支え部Ｔ２と支柱２ａのパネル支え部Ｔ２ａの上に、設けられている。図１に示す状態では、床パネル１の底面１１の一部が支柱２の上面Ｕ２と支柱２ａの上面Ｕ２ａとに接している。
【００２３】
床パネル１の上面１０及び床パネル１ａの上面１０ａは、図１には示していない他の床パネルの上面と共に、平面の床面を形成する。
【００２４】
床パネル１は、貫通孔２０を有している。貫通孔２０は、床パネル１の底面１１の、支柱２のパネル支え部Ｔ２と接している部分から、上面１０まで貫通している。また、支柱２のパネル支え部Ｔ２は、貫通孔２０に対応する位置に貫通孔２０ａを有している。貫通孔２０及び２０ａには、操作棒２１が挿入されている。操作棒２１の上端の高さは、床パネル１の上面１０の高さとほぼ同じになっている。このため、操作棒２１は、矢印ＹＤの方向、すなわち、床パネル１の上面１０から底面１１に向かう方向に下降することが可能になっている。
【００２５】
支柱２の内部には、棒部２２が設けられている。また、支柱２には、係合棒２５が挿入されている。
【００２６】
支柱２の内部の棒部２２は、バネ２４の復元力によって、矢印ＹＵの方向すなわち、床パネル１ａの底面１１ａから上面１０ａに向かう方向に上昇可能になっている。棒部２２は、爪部２２Ｔを有している。
【００２７】
また、支柱２の内部には、係合棒２５が挿入されている。係合棒２５は、コイル形のバネ２６の内部に挿入されている。バネ２６の一端は係合棒２５に接続され、他端はバネ止め板２６ａに接している。図１に示す状態は、バネ２６が伸張した状態である。このため、図１に示す状態では、係合棒２５の一端である挿入端部は、爪部２２Ｔに係合している。このため、爪部２２Ｔ及び係合棒２５は、バネ２４によって棒部２２が上昇することを抑止する抑止部として作用する。
【００２８】
係合棒２５の他端と、操作棒２１の下端とは、軸部Ｊ１及びＪ２を有するリンク棒２１Ｌによって接続されている。つまり、リンク棒２１Ｌの一端と係合棒２５の他端に接続され、リンク棒２１Ｌの他端が操作棒２１の下端に接続されている。
【００２９】
（床パネル）
図２は、図１中の床パネル１の外観構成を示す斜視図、図３は、図２中の矢印ＹＡの方向から床パネル１を見た側面図である。図２及び図３に示すように、床パネル１は、上面１０及び底面１１がほぼ正方形である。また、床パネル１は、上面１０の面積よりも底面１１の面積が小さくなっている。床パネル１は、その側面部１２に、上面１０から底面１１に向かって傾斜する傾斜部１３を有している。床パネル１の側面部１２の、傾斜部１３以外の部分は、上面１０の幅と同じ幅である。
【００３０】
図４は、図１中の床パネル１ａの外観構成を示す斜視図、図５は、図４中の矢印ＹＡの方向から床パネル１ａを見た側面図である。図４及び図５に示すように、床パネル１ａが、床パネル１と異なる点は、貫通孔２０が設けられていない点である。床パネル１ａのその他の構成は、床パネル１と同様である。すなわち、床パネル１ａは、床パネル１と同様に、上面１０ａ及び底面１１ａがほぼ正方形である。また、床パネル１ａは、上面１０ａの面積よりも底面１１ａの面積が小さくなっている。床パネル１ａは、その側面部１２ａに、上面１０ａから底面１１ａに向かって傾斜する傾斜部１３ａを有している。床パネル１ａの側面部１２ａの、傾斜部１３ａ以外の部分は、上面１０ａの幅と同じ幅である。傾斜部１３ａを設けることにより、側面部１２ａにおいて隣接する床パネルと接触する部分の面積を小さくすることができ、複数の床パネルを設置する際の作業効率を高めることができる。
【００３１】
図６は、床パネル１及び１ａ等、複数の床パネルを設置した場合を示す平面図である。図６を参照すると、支柱２及び２ａの他に、支柱２ｂ、２ｃ、２ｄ、２ａｂ、２ａｃ、２ｂｄ及び２ｃｄが設けられている。支柱２の上面には、床パネル１の角部及び床パネル１ａの角部の他、第２の床パネルとしての床パネル１ｂの角部及び第２の床パネルとしての床パネル１ｃの角部が設けられている。つまり、１つの支柱２は、４枚の床パネル１、１ａ、１ｂ、１ｃの角部を支えている。他の支柱２ａ、２ｂ、２ｃ、２ｄ、２ａｂ、２ａｃ、２ｂｄ及び２ｃｄについても同様に、４枚の床パネルの角部を支えている。なお、第１の床パネル１は、４枚の床パネルに対して１枚の割合で設ける必要はなく、フリーアクセスフロア１００全体で少なくとも１枚設ければよい。
【００３２】
ここで、図６中のＡ−Ａ’部に沿った断面を示した図が図１である。なお、図６では、作図の都合から、床パネル同士の間に隙間を設けているが、床パネルを実際に設けた場合は、床パネル同士の間に隙間は生じない。
【００３３】
（支柱）
図７は、図１中の支柱２の外観構成を示す斜視図である。図７に示すように、本実施形態において、支柱２は、パネル支え部Ｔ２と、貫通孔２０ａと、操作棒２１と、リンク棒２１Ｌと、孔部２０ｂと、係合棒２５とを備えている。
【００３４】
本実施形態において、パネル支え部Ｔ２の上面Ｕ２の平面視における形状は、例えば矩形であるが、これに限定されるものではない。操作棒２１は、貫通孔２０ａに挿入されている。バネ２６は伸張状態であり、係合棒２５の一端は、孔部２０ｂに挿入されている。リンク棒２１Ｌは、一端が係合棒２５の他端に接続され、他端が操作棒２１の下端に接続されている。リンク棒２１Ｌは操作棒２１に対し、軸部Ｊ１を中心に回動可能になっている。また、リンク棒２１Ｌは係合棒２５に対し、軸部Ｊ２を中心に回動可能になっている。
【００３５】
本実施形態では、パネル支え部Ｔ２の上面Ｕ２から、前述した棒部２２の先端部２２Ｓが突出している。先端部２２Ｓは、棒部２２の上昇に伴って、矢印ＹＵの方向に移動する。
【００３６】
図８は、図１中の支柱２ａの外観構成を示す斜視図である。支柱２ａは、パネル支え部Ｔ２ａを備えている。パネル支え部Ｔ２ａは、その上面Ｕ２ａが例えば矩形である。支柱２ａは、図７を参照して説明した支柱２とは異なり、貫通孔２０ａ、操作棒２１、リンク棒２１Ｌ、孔部２０ｂ及び係合棒２５を備えていない。図６中の他の支柱２ｂ、２ｃ、２ｄ、２ａｂ、２ａｃ、２ｂｄ及び２ｃｄも支柱２ａと同様の構成である。
【００３７】
（動作）
図１に戻り、本実施形態において、フリーアクセスフロアの床パネルを持ち上げる場合の動作について説明する。本実施形態において、床パネル１ａを持ち上げる場合、操作棒２１の上端を矢印ＹＤの方向、すなわち床パネル１の上面１０から底面１１に向かう方向に押し下げる。例えば、ねじ回しＤ等の工具の先端を操作棒２１の上端に押し当てて、操作棒２１を矢印ＹＤの方向に押し下げる。
【００３８】
操作棒２１が矢印ＹＤの方向に移動すると、リンク棒２１Ｌによって、係合棒２５は矢印ＹＨの方向すなわち係合棒２５が孔部２０ｂから引き出される方向に移動する。係合棒２５の移動により、棒部２２の爪部２２Ｔと係合棒２５との係合状態が解除される。
【００３９】
図９は、棒部２２の爪部２２Ｔと係合棒２５との係合状態が解除された状態を示す図である。図９に示すように、爪部２２Ｔと係合棒２５との係合状態が解除されると、バネ２４の復元力によって、棒部２２は矢印ＹＵの方向に上昇する。棒部２２の上昇により、棒部２２の先端部２２Ｓが床パネル１ａを押し上げる。このとき、床パネル１ａの傾斜部１３ａと底面１１ａとの境界である角部１３ａｋが支点となり、床パネル１ａを押し上げる。バネの復元力によって棒部を上昇させることができ、作業効率を高めることができる。
【００４０】
図９の状態になれば、床パネル１ａの傾斜部１３ａが、床パネル１の上面１０よりも高い位置になるので、作業者の手を傾斜部１３ａにかけることができ、作業効率が高くなる。床パネル１ａの傾斜部１３ａは、床パネル１ａの内側（つまり底面１１ａ）に向かって傾斜しているので、作業者は、床パネル１ａの内側に向かって手を入れやすくなる。このため、床パネル１ａを持ち上げる作業の効率を高めることができる。
【００４１】
なお、以降は、作業者の手によって床パネル１ａを持ち上げることになる。床パネル１ａを持ち上げて他の場所に置けば、床パネル１ａが設けてあった部分に空間が現れるので、この空間を起点にして床パネル１等を順次持ち上げることができる。
【００４２】
作業終了後、図９の状態において、床パネル１ａの上面１０ａを押し下げれば、角部１３ａｋに接している先端部２２Ｓを押し下げることができる。先端部２２Ｓを押し下げておき、操作棒２１を元の位置まで上昇させれば、図１の状態に戻すことができる。このとき、バネ２６の復元力により、係合棒２５の一端が元の位置に戻って爪部２２Ｔに係合する。これにより、フリーアクセスフロアは、図１の状態に戻る。
【００４３】
実施形態１では、バネを用いて床パネル１ａを押し下げるため、簡単な操作で、床パネル１ａを持ち上げることができる。なお、床パネルの上面は人に踏まれることが前提であり、踏まれただけで床パネルを押し上げる構造にはなっておらず、操作を行った場合にだけ床パネルを押し上げる構造になっている。
【００４４】
（実施形態２）
図１０は、実施形態２に係るフリーアクセスフロアの構成を示す断面図である。図１０は、フリーアクセスフロアに用いられる支柱について、断面構造を示す。図１０に示すように、実施形態２のフリーアクセスフロアは、てこ部２７を備えた支柱２を有する。てこ部２７は、支点となる軸部Ｊ３を挟んで、操作棒２１の下端と、棒部２３の下端とに接している。
【００４５】
図１１は、図１０中の支柱２の外観構成を示す斜視図である。図１１を参照すると、支柱２は、パネル支え部Ｔ２と、貫通孔２０ａと、操作棒２１と、孔部２０ｃと、てこ部２７と、軸部Ｊ３とを備えている。
【００４６】
てこ部２７は、軸部Ｊ３を中心に回動可能になっている。軸部Ｊ３は孔部２０ｃ内に設けられている。
【００４７】
本実施形態では、パネル支え部Ｔ２の上面Ｕ２から、前述した棒部２３の先端部２３Ｓが突出している。先端部２３Ｓは、棒部２３の上昇に伴って、矢印ＹＵの方向に移動する。
【００４８】
図１０に戻り、床パネル１ａを持ち上げる場合、操作棒２１の上端を矢印ＹＤの方向すなわち床パネル１の上面１０から底面１１に向かう方向に押し下げる。例えば、ねじ回しＤ等の工具の先端を操作棒２１の上端に押し当てて、操作棒２１を矢印ＹＤの方向に押し下げる。操作棒２１は、押し下げる操作を伝達する伝達棒として作用し、操作棒２１を矢印ＹＤの方向に移動させる操作がてこ部２７に伝達する。これにより、てこ部２７の作用によって棒部２３は、矢印ＹＵの方向に上昇する。
【００４９】
図１２は、実施形態２において、棒部２３が上昇した状態を示す図である。棒部２３の上昇により、棒部２３の先端部２３Ｓがパネル支え部Ｔ２から突出して床パネル１ａを押し上げる。このとき、床パネル１ａの傾斜部１３ａと底面１１ａとの境界である角部１３ａｋが支点となり、床パネル１ａを押し上げる。
【００５０】
図１２の状態になれば、床パネル１ａの傾斜部１３ａが、床パネル１の上面１０よりも高い位置になるので、作業者の手を傾斜部１３ａにかけることができる。以降は、作業者の手によって床パネル１ａを持ち上げることになる。床パネル１ａを持ち上げて他の場所に置けば、床パネル１ａが設けてあった部分に空間が現れるので、この空間を起点にして他の床パネル１等を順次持ち上げることができる。
【００５１】
なお、作業終了後、図１２の状態において、床パネル１ａを押し下げ、操作棒２１を元の位置まで上昇させれば、図１０の状態に戻すことができる。これにより、フリーアクセスフロアは、図１０の状態に戻る。
【００５２】
実施形態２では、バネを用いないので、前述した実施形態１に比べて部品点数を削減でき、製造コストを低減できる。なお、床パネルの上面は人に踏まれることが前提であり、踏まれただけでは床パネルを押し上げる構成にはなっておらず、操作を行った場合にだけ床パネルを押し上げる構成になっている。
【００５３】
（実施形態３）
前述した実施形態１及び実施形態２において、床パネル１ａを持ち上げるために必要な操作は、操作棒２１を押し下げる操作である。これに対し、実施形態３において、床パネル１ａを持ち上げるために必要な操作は、操作棒２１を引き上げる操作である。
【００５４】
図１３は、実施形態３に係るフリーアクセスフロアに用いる棒部２２及び操作棒２１の概略構成を示す図である。図１３に示す棒部２２及び操作棒２１等は、図１に示す棒部２２及び操作棒２１等の代わりに、支柱２に設ける。
【００５５】
図１３に示すように、係合棒２５の一端は、爪部２２Ｔに係合している。このため、爪部２２Ｔ及び係合棒２５は、バネ２４によって棒部２２が上昇することを抑止する抑止部として作用する。
【００５６】
操作棒２１は、ガイド部２９のガイド孔２９ａに沿って、矢印ＹＵ１の方向に上昇可能である。操作棒２１の上端は、前述したように、床パネル１の貫通孔２０を通り、床パネル１の上面１０の高さに達している（図１参照）。操作棒２１の下端と、係合棒２５の他端とは軸部Ｊ４によって回動可能に接続され、操作棒２１と係合棒２５とでリンクが形成されている。
【００５７】
係合棒２５は、一端と他端との間に、軸部Ｊ５を有する。また、操作棒２１は、上端と下端との間に、軸部Ｊ６を有する。軸部Ｊ５には、バネ２８の一端が接続され、軸部Ｊ６には、バネ２８の他端が接続されている。バネ２８は、係合棒２５の一端と棒部２２の爪部２２Ｔとが係合した状態において、圧縮された状態となっている。すなわち、係合棒２５の一端と棒部２２の爪部２２Ｔとが係合した状態において、バネ２８は、軸部Ｊ４を中心として、係合棒２５と操作棒２１とが離れる方向の力をこれらに与えている。係合棒２５は、バネ２８から与えられる力によって、棒部２２の爪部２２Ｔを下方に押さえ付ける。
【００５８】
本実施形態において、フリーアクセスフロアの床パネルを持ち上げる場合の動作について説明する。本実施形態において、床パネル１ａを持ち上げる場合、操作棒２１の上端を矢印ＹＵ１の方向すなわち床パネル１の底面１１から上面１０に向かう方向に引き上げる。例えば、作業者の指で操作棒２１の上端をつまみ、矢印ＹＵ１の方向に引き上げる。
【００５９】
図１４は、実施形態３において、操作棒２１を引き上げた状態を示す図である。図１４に示すように、操作棒２１が矢印ＹＵ１の方向に移動すると、操作棒２１とともに係合棒２５が引き上げられるので、棒部２２の爪部２２Ｔと係合棒２５との係合状態が解除される。爪部２２Ｔと係合棒２５との係合状態が解除されると、バネ２４の復元力によって、棒部２２は矢印ＹＵの方向に上昇する。棒部２２の上昇により、棒部２２の先端部２２Ｓが床パネル１ａを押し上げる（図９参照）。このとき、床パネル１ａの傾斜部（図５参照）が支点となり、床パネル１ａを押し上げる。
【００６０】
図１４の状態になれば、図９の場合と同様に、床パネル１ａの傾斜部１３ａが、床パネル１の上面１０よりも高い位置になるので、作業者の手を傾斜部１３ａにかけることができる。以降は、作業者の手によって床パネル１ａを持ち上げることになる。床パネル１ａを持ち上げて他の場所に置けば、床パネル１ａが設けてあった部分に空間が現れるので、この空間を起点にして他の床パネル１等を順次持ち上げることができる。
【００６１】
なお、作業終了後、図１４の状態において、床パネル１ａを押し下げ、さらにガイド部２９のガイド孔２９ａに沿って操作棒２１を元の位置まで押し下げれば、図１３の状態に戻すことができる。このとき、軸部Ｊ４がガイド孔２９ａの下端と接するストッパとして作用し、係合棒２５の一端が元の位置に戻って爪部２２Ｔに係合する。これにより、フリーアクセスフロアは、図１３の状態に戻る。
【００６２】
実施形態３では、バネを用いて床パネルを引き上げるため、簡単な操作で、床パネル１ａを持ち上げることができる。しかも、操作棒を引き上げる操作が採用されているため、操作のための工具が不要で、床パネルを持ち上げることができる。なお、床パネルの上面は人に踏まれることが前提であり、踏まれただけで床パネルを押し上げる構成にはなっておらず、操作を行った場合にだけ床パネルを押し上げる構成になっている。
【００６３】
（変形例）
前述した各実施形態においては、１枚の床パネルを押し上げる場合について説明したが、持ち上げる床パネルの枚数はこれに限定されない。例えば、１回の操作で複数枚（例えば、２枚又は３枚）の床パネルを押し上げるようにしてもよい。複数枚の床パネルを持ち上げるためには、例えば図１において、棒部２２の先端部２２Ｓの形状を変更して複数の床パネルに接する形状とし、棒部２２の上昇により、先端部２２Ｓが接した複数の床パネルを同時に押し上げるようにすればよい。なお、複数の床パネルを同時に押し上げるために、必要に応じて、先端部２２Ｓを有する棒部２２を上昇させるためのバネ２４（図１参照）をより復元力の大きなバネに変更してもよい。
【００６４】
図１５は、実施形態１と同様に、１枚の床パネル１ａを押し上げる場合の先端部２２Ｓの形状の例を示す図である。図１６は、図１５に対応する平面図である。図１５及び図１６では、作図の都合から、床パネル同士の間に隙間を設けているが、床パネルを実際に設けた場合は、床パネル同士の間に隙間は生じない。以降の他の図においても同様である。
【００６５】
図１５及び図１６に示すように、支柱２の上面には、４枚の床パネル１、１ａ、１ｂ及び１ｃの底面の一部が接している。図１６を参照すると、平面視において、４枚の床パネル１、１ａ、１ｂ及び１ｃの各上面の角部の位置と、支柱２の上面の中心位置とが一致している。本例においては、床パネル１ａを押し上げるため、平面視において、床パネル１ａの下側にのみ先端部２２Ｓが位置している。
【００６６】
図１５及び図１６の構成において、前述したように、操作棒２１を操作すると、先端部２２Ｓが上昇する。本例では、床パネル１ａの下側にのみ位置している先端部２２Ｓにより、床パネル１ａを押し上げることができる。なお、床パネル１ｂの下側にのみ先端部２２Ｓが位置している操作棒２１を用意すれば、先端部２２Ｓが上昇することにより、床パネル１ｂを押し上げることができる。同様に、床パネル１ｃの下側にのみ先端部２２Ｓが位置している操作棒２１を用意すれば、先端部２２Ｓが上昇することにより、床パネル１ｃを押し上げることができる。
【００６７】
先端部２２Ｓを棒部２２から脱着でき、平面視における装着位置を変更できるように構成してもよい。先端部２２Ｓの装着位置を変更できるようにすれば、押し上げる床パネルを柔軟に変更できる。これにより、例えば、床パネル上に設置したパーテーションや家具の位置を変更する場合など、レイアウトの変更に対応できる。
【００６８】
図１７は、２枚の床パネル１ａ及び１ｂを押し上げる場合の先端部２２Ｓを示す図である。図１８は、図１７に対応する平面図である。図１７及び図１８に示すように、支柱２の上面には、４枚の床パネル１、１ａ、１ｂ及び１ｃの底面の一部が接している。図１８を参照すると、平面視において、４枚の床パネル１、１ａ、１ｂ及び１ｃの各上面の角部の位置と、支柱２の上面の中心位置とが一致している。本例においては、２枚の床パネル１ａ及び１ｂを押し上げるため、平面視において、床パネル１ａ及び１ｂの下側に先端部２２Ｓが位置している。したがって、本例における先端部２２Ｓは、図１５及び図１６を参照して説明した場合の約２倍の大きさである。
【００６９】
図１７及び図１８の構成において、前述したように、操作棒２１を操作すると、先端部２２Ｓが上昇する。本例では、床パネル１ａ及び１ｂの下側に位置している先端部２２Ｓにより、１回の操作によって、２枚の床パネル１ａ及び１ｂを同時に押し上げることができる。
【００７０】
図１９は、３枚の床パネル１ａ、１ｂ及び１ｃを押し上げる場合の先端部２２Ｓの形状を示す図である。図２０は、図１９に対応する平面図である。図１９及び図２０に示すように、支柱２の上面には、４枚の床パネル１、１ａ、１ｂ及び１ｃの底面の一部が接している。図１９を参照すると、平面視において、４枚の床パネル１、１ａ、１ｂ及び１ｃの各上面の角部の位置と、支柱２の上面の中心位置とが一致している。本例においては、３枚の床パネル１ａ、１ｂ及び１ｃを押し上げるため、平面視において、床パネル１ａ、１ｂ及び１ｃの下側に先端部２２Ｓが位置している。したがって、本例における先端部２２Ｓは、図１５及び図１６を参照して説明した場合の約３倍の大きさである。
【００７１】
図１９及び図２０の構成において、前述したように、操作棒２１を操作すると、先端部２２Ｓが上昇する。本例では、床パネル１ａ、１ｂ及び１ｃの下側に位置している先端部２２Ｓにより、１回の操作によって、３枚の床パネル１ａ、１ｂ及び１ｃを同時に押し上げることができる。
【００７２】
なお、先端部２２Ｓの形状を変更し、４枚の床パネル１、１ａ、１ｂ及び１ｃを同時に押し上げるようにしてもよい。
【００７３】
（目印）
多数の床パネルを敷き詰めた場合、他の支柱２ａ等と異なる支柱２を見つけ出すことが難しい場合も考えられる。そこで、床パネル１ａ等を持ち上げる作業の効率を高めるために、支柱２に設けられている操作棒２１の上端面又は貫通孔２０に目印を設けてもよい。支柱２を見つけ出すための目印としては、操作棒２１の上端面又は貫通孔２０の周囲を、床パネル１の上面１０の色と異なる色で塗装することが考えられる。また、床パネル１の素材と操作棒２１の素材とが異なっていれば、塗装せずに目印として機能することも考えられる。
【００７４】
また、貫通孔２０を脱着可能な被覆部で覆い、被覆部の上面の色を床パネル１の上面１０の色と異なるものとし、色が異なることを、支柱２を見つけ出すための目印としてもよい。例えば、キャップ又はカバーで貫通孔２０を覆い、キャップ又はカバーの色を床パネル１の上面１０の色とは異なるものとしてもよい。この場合、操作棒２１の操作を行う際に、キャップ又はカバーを取り外せばよい。なお、操作棒２１の操作を行わないときに貫通孔２０をキャップ又はカバーで覆えば、貫通孔２０に塵埃が入り込むことを防止でき、操作棒２１の操作性を良好に保つことができる。
【００７５】
以上、実施形態１から３を説明したが、前述した内容により実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、実施形態の要旨を逸脱しない範囲で構成要素の種々の省略、置換及び変更のうち少なくとも１つを行うことができる。
【符号の説明】
【００７６】
１、１ａ、１ｂ、１ｃ  床パネル
２、２ａ、２ｂ、２ｄ  支柱
１０、１０ａ  上面
１１、１１ａ  底面
１２、１２ａ  側面部
１３、１３ａ  傾斜部
１３ａｋ  角部
２０、２０ａ  貫通孔
２０ｂ、２０ｃ  孔部
２１  操作棒
２１Ｌ  リンク棒
２２、２３  棒部
２２Ｓ、２３Ｓ  先端部
２２Ｔ  爪部
２４、２６、２８  バネ
２５  係合棒
２６ａ  バネ止め板
２７  てこ部
２９  ガイド部
２９ａ  ガイド孔
１００  フリーアクセスフロア
【図１】
2015145561.tif 000003
【図２】
2015145561.tif 000004
【図３】
2015145561.tif 000005
【図４】
2015145561.tif 000006
【図５】
2015145561.tif 000007
【図６】
2015145561.tif 000008
【図７】
2015145561.tif 000009
【図８】
2015145561.tif 000010
【図９】
2015145561.tif 000011
【図１０】
2015145561.tif 000012
【図１１】
2015145561.tif 000013
【図１２】
2015145561.tif 000014
【図１３】
2015145561.tif 000015
【図１４】
2015145561.tif 000016
【図１５】
2015145561.tif 000017
【図１６】
2015145561.tif 000018
【図１７】
2015145561.tif 000019
【図１８】
2015145561.tif 000020
【図１９】
2015145561.tif 000021
【図２０】
2015145561.tif 000022